(57)【要約】【課題】引手交換のためスライダー胴体から取り外すことができ、通常の使用時にはスライダー胴体に確実に取り付けられている当該取外し自在ラッチ部を備えたスライダーを提供することである。【解決手段】エレメントを係合したり外したりするためにスライドファスナーのエレメントに滑動自在に配されているスライダー胴体３と、スライダー胴体３に取り外し自在に取り付けられ、第１のスライダー１をこれと協働する第２のスライダー１にラッチ係合させるためのラッチ係合手段を備えたラッチ部５とからなるスライダー１である。ラッチ部５とスライダー胴体３は、夫々協働する第１係止手段９１及び第２係止手段９３を備えており、係止手段９１，９３は、ラッチ部５がスライダー胴体３から分離するのを防止し、第１係止手段９１は、ラッチ部５をスライダー胴体３から分離することを可能にするために弾性的に移動することが可能である。【選択図】図１
2007044535.tif 000002
【特許請求の範囲】
【請求項１】
噛合エレメントを係合したり外したりするためにスライドファスナーの噛合エレメントに滑動自在に配されているスライダー胴体３と、スライダー胴体３に取り外し自在に取り付けられ、第１のスライダー１をこれと協働する第２のスライダー１にラッチ係合させるためのラッチ係合手段を備えたラッチ部５とからなるスライダー１であって、ラッチ部５とスライダー胴体３は、夫々協働する第１係止手段９１と第２係止手段９３を備えており、係止手段９１，９３は、ラッチ部５がスライダー胴体３から分離するのを防止し、第１係止手段９１は、ラッチ部５をスライダー胴体３から分離することを可能にするために弾性的に移動することができることを特徴とするスライドファスナー用スライダー。
【請求項２】
係止手段９１，９３は当接面９１，９３からなり、第１係止手段９１は、ラッチ部５をスライダー胴体３から取り外すために当接面９１，９３が互いを越えて通過することができるように第１係止手段９１が移動可能となっていることを特徴とする請求項１に記載されたスライダー。
【請求項３】
第１係止手段９１の当接面９１は、弾性的に曲折する舌状部７７の面であることを特徴とする請求項２に記載されたスライダー。
【請求項４】
舌状部７７は、ラッチ部５がスライダー胴体３に取り付けられる際に舌状部７７を曲げるために第２係止手段９３が押圧する傾斜面８７を備えていることを特徴とする請求項３に記載されたスライダー。
【請求項５】
第２係止手段９３は、ラッチ部５がスライダー胴体３に取り付けられる際に舌状部７７を曲げるために第１係止手段９１が滑動する傾斜面７１を含むことを特徴とする請求項３又は４に記載されたスライダー。
【請求項６】
スライダー胴体３は、スライダー胴体３の一端に取り付けられる引手のための引手取付部７を含み、引手取付部７は、スライダー胴体３に連結された基部２７と、スライダー胴体３との間にギャップ２９がある自由端部２７とを有し、第２係止手段９３は、当該引手取付部７の自由端部２７に配されていることを特徴とする先行する請求項のいずれかひとつに記載されたスライダー。
【請求項７】
引手取付部７は、スライダー胴体３の噛合エレメント挿通用通路を画成する案内柱１５の上でスライダー胴体３に取り付けられていることを特徴とする請求項６に記載されたスライダー。
【請求項８】
ラッチ係合手段は、第２スライダー１に設けられた第１収容部５５と、当該第１収容部５５にラッチ係合する第１ラッチ部材４７からなり、第１収容部５５と第１ラッチ部材４７の少なくとも一方が弾性変形することを特徴とする先行する請求項のいずれかひとつに記載されたスライダー。
【請求項９】
ラッチ手段は、第２スライダー１に設けられた第２ラッチ部材４７と、当該第２ラッチ部材４７を収容するための第２収容部５５を更に含み、第２ラッチ部材４７と第２収容部５５の少なくとも一方が弾性変形することを特徴とする請求項８に記載されたスライダー。
【請求項１０】
分離された時にスライドファスナーを開口し、連結した時にスライドファスナーを閉鎖するように一対の係合ストリンガー上で滑動自在に配された第１スライダー１及び第２スライダー１からなるスライドファスナーであって、夫々のスライダー１は、ファスナーエレメントを係合し係合を外すためにスライドファスナーの噛合エレメント上を滑動自在に配されているスライダー胴体３と、当該スライダー胴体３に取り外し自在に取り付けられたラッチ部５とからなり、当該ラッチ部５は、一方のスライダー１を他方のスライダー１にラッチ係合するためのラッチ手段を備えており、ラッチ部５とスライダー胴体３は、夫々協働する第１係止手段９１及び第２係止手段９３を備えており、係止手段９１，９３は、ラッチ部５がスライダー胴体３から離れるのを防止し、第１係止手段９１は、ラッチ部５がスライダー胴体３から分離するのを可能にするため弾性的に移動することができることを特徴とするスライドファスナー。
【請求項１１】
当該スライドファスナーは、第１スライダー１のラッチ部５に配された第１収容部５５と、第２スライダーのラッチ部５に配され、第１収容部５５に係合することができる第１ラッチ部材４７と、二つのスライダー１の一方のラッチ部５に配された第２収容部５５と、二つのスライダーのうちの他方のスライダー１のラッチ部５に配され、第２収容部５５と係合可能である第２ラッチ部５とを更に含み、第１収容部５５及び第２収容部５５は、第１スライダー１及び第２スライダー１を取り外し自在にラッチ係合するため夫々第１ラッチ部材４７と第２ラッチ部材４７と係合するように配されており、ラッチ部材４７と収容部材５５は、ラッチ部材４７が離れる方向へ移動することによって係合がはずれ、スライダー１のラッチ係合が外れるように配されていることを特徴とする請求項１０に記載されたスライドファスナー用スライダー。
【請求項１２】
噛合エレメントを係合したり外したりするためスライドファスナーの噛合エレメント上で滑動自在に配されているスライダー胴体３と、当該スライダー胴体３に取り外し自在に取り付けられた取り外し自在のラッチ部５とからなるスライドファスナー用のスライダー１であって、取り外し自在のラッチ部５とスライダー胴体３は、夫々、協働する第１係止手段９１及び第２係止手段９３を備えており、当該係止手段９１，９３は、取り外し自在のラッチ部５がスライダー胴体３から分離するのを防止し、第１係止手段９１は、取り外し自在のラッチ部５がスライダー胴体３から分離するのを可能にするために弾性的に移動できることを特徴とするスライドファスナー用スライダー。
【発明の詳細な説明】
【技術分野】
【０００１】  本発明は、スライドファスナー用のスライダーに関するものである。特に、本発明は、協働する二つのスライダーを備えたスライドファスナーにおいて、第２のスライダーに取り付けることができる係止可能なスライダーに関するものである。
【背景技術】
【０００２】  上記のタイプのスライドファスナー用スライダーは当該技術分野において一般に周知である。しかし、スライダーが不用意に分離し、スライドファスナーが不慮に開口してしまう虞があった。このような問題を克服するためにいままでにいろいろな係止可能スライダーが提案されてきた。【０００３】  従来、二つのスライダーが分離されたときにスライドファスナーを開口し、連結されたときにスライドファスナーを閉鎖するために一対の係合ストリンガーに滑動自在に配された二つのスライダーを備えたスライドファスナーが知られていた。（例えば、特許文献１を参照。）これらの二つのスライダーのうちの一方のスライダーは、収容部を備えており、他方のスライダーは、当該収容部と係合することが可能な協働するラッチ部を備えている。二つのスライダーは、これら二つのスライダーを互い方向に押圧したり互いから引き離したりすることによって収容部とラッチ部の弾性変形によってスライダーが係合したり分離したりするのである。スライダーは、収容部又はラッチ部とは別個に形成されいるスライダー胴体を有しているので、これらの部分に異なった材料を用いることができる。【０００４】
【特許文献１】ヨーロッパ特許公報  ＥＰ−Ａ−１３０００９４
【発明の開示】
【発明が解決しようとする課題】
【０００５】  特許文献１に記載されたスライダーの特徴は、二つのスライダーをラッチ係合したり外したりする際に、収容部そして／又はラッチ部が変形することである。しかし、このために、これらの部分が磨耗したり、破断したりし、これによって、スライダーがラッチ係合することができなくなったり、スライダーが故障する虞があった。【０００６】  ラッチ係合する際に、そして、特に、これらのスライダーの係合を外す際に、引手に大きな力が加わり、引手又は当該引手が取り付けられているスライダーの引手取付部が破断する虞があった。基本的に言って、ラッチ係合するスライダー間の連結を強くすればするほど、これらのスライダーをラッチ係合したり外したりする際に必要な力はそれだけ大きくなるのである。従って、引手又は引手取付部が破断する虞は、ラッチ係合をしないタイプのスライダーよりも大きいのである。過度な力が加わったときに、ラッチ係合スライダーの引手取付部の前に引手の方が破断するようにラッチ係合スライダーを設計することが好ましい。そして、このような場合においては、ラッチ係合スライダーの壊れた引手を取り替えることができるということは重要なことなのである。【０００７】  したがって、スライダー胴体の引手取付部を持ち上げることによって及びスライダー胴体から取り外し自在のラッチ部を引き離すことによって、収容部そして／又はラッチ手段を備えたラッチ部を取り外すことが可能なのである。【０００８】  このような構造の問題点は、スライダー胴体の引手取付部を持ち上げることは難しいので、スライダー胴体から取り外し自在のラッチ部を外すことが難しかった点であった。これは、スライダー胴体が、スライドファスナーの噛合エレメントに沿ってスライダーが繰り返し往復運動する際の磨耗及び破断に耐えるよう金属又は硬質プラスチックで作られていたことに起因した。従って、引手取付部を持ち上げるためには大きな力が必要であり、従って、スライダー胴体から取り外し自在のラッチ部を取り外すことは厄介であり、引手取付部を破断してしまったり、永久的な変形を加えてしまっていたのである。【０００９】  本発明の目的は、引手又は取り外し自在のラッチ部を苦労無く交換することができるように容易にスライダー胴体から取り外すことができるラッチ部であって、当該ラッチ部は通常の使用時にはスライダー胴体に確実に取り付けられている当該取外し自在ラッチ部を備えたスライダーを提供することである。
【課題を解決するための手段】
【００１０】  上記の目的を達成するために、本発明の第１の特徴によれば、次のようなスライドファスナー用スライダーが提供される。即ち、このスライダーは、噛合エレメントを係合したり外したりするためにスライドファスナーの噛合エレメントに滑動自在になっているスライダー胴体と、スライダー胴体に取り外し自在に取り付けられ、第１のスライダーをこれと協働する第２のスライダーにラッチ係合させるためのラッチ係合手段を備えたラッチ部とからなるスライダーであって、ラッチ部とスライダー胴体は、夫々協働する第１係止手段及び第２係止手段を備えており、係止手段は、休止位置にある時にラッチ部がスライダー胴体から分離するのを防止し、第１係止手段は、ラッチ部をスライダー胴体から分離することを可能にするために弾性的に移動することが可能である。【００１１】  係止手段は、当接面からなり、第１係止手段は、ラッチ部をスライダー胴体から取り外すために当接面が互いを越えて通過することができるように第１係止手段が移動可能となっていることが好ましい。【００１２】  第１係止手段の当接面は、弾性的に曲折する舌状部の面であることが好ましい。【００１３】  舌状部は、ラッチ部がスライダー胴体に取り付けられる際に舌状部を曲げるために第２係止手段が押圧する傾斜面を備えていることが好ましい。【００１４】  第２係止手段は、ラッチ部がスライダー胴体に取り付けられる際に舌状部を曲げるために第１係止手段が滑動する傾斜面を含むことが好ましい。【００１５】  スライダー胴体は、スライダー胴体の一端に取り付けられる引手のための引手取付部を含み、引手取付部は、スライダー胴体に連結された基部と、スライダー胴体との間にギャップがある自由端部とを有し、第２係止手段は、当該引手取付部の自由端部に配されていることが好ましい。【００１６】  引手取付部は、スライダー胴体の噛合エレメント挿通用通路を画成する案内柱の上でスライダー胴体に取り付けられていることが好ましい。【００１７】  ラッチ係合手段は、第２スライダーに設けられた第１収容部と当該第１収容部にラッチ係合する第１ラッチ部材からなり、第１収容部と第１ラッチ部材の少なくとも一方が弾性変形することが好ましい。【００１８】  ラッチ手段は、第２スライダーに設けられた第２ラッチ部材と、当該第２ラッチ部材を収容するための第２収容部を更に含み、第２ラッチ部材と第２収容部の少なくとも一方が弾性変形することが好ましい。【００１９】  本発明の第２の特徴によれば、次のようなスライドファスナーが提供される。即ち、このスライドファスナーは、分離された時にスライドファスナーを開口し、連結した時にスライドファスナーを閉鎖するように一対の係合ストリンガー上で滑動自在に配された第１スライダー及び第２スライダーからなるスライドファスナーであって、夫々のスライダーは、ファスナーエレメントを係合し係合を外すためにスライドファスナーの噛合エレメント上を滑動自在に配されているスライダー胴体３と、当該スライダー胴体３に取り外し自在に取り付けられたラッチ部とからなり、当該ラッチ部は、一方のスライダーを他方のスライダーにラッチ係合するためのラッチ手段を備えており、ラッチ部とスライダー胴体���、夫々協働する第１係止手段及び第２係止手段を備えており、係止手段は、休止位置にあるときにラッチ部がスライダー胴体から離れるのを防止し、第１係止手段は、ラッチ部がスライダー胴体から分離するのを可能にするため弾性的に移動することができる。【００２０】  好ましくは、当該スライドファスナーは、第１スライダー１のラッチ部に配された第１収容部と、第２スライダーのラッチ部に配され、第１収容部に係合することができる第１ラッチ部材と、二つのスライダーの一方のラッチ部に配された第２収容部と、二つのスライダーのうちの他方スライダーのラッチ部に配され、第２収容部と係合可能である第２ラッチ部とを更に含み、第１収容部及び第２収容部は、第１スライダー及び第２スライダーを取り外し自在にラッチ係合するため夫々第１ラッチ部材及び第２ラッチ部材と係合するように配されており、ラッチ部材と収容部材は、ラッチ部材が離れる方向へ移動することによって係合がはずれ、スライダーのラッチ係合が外れるように配されている。【００２１】  本発明の第３の特徴によれば、次のようなスライドファスナー用スライダーが提供される。噛合エレメントを係合し係合を外すためスライドファスナーの噛合エレメント上で滑動自在に配されているスライダー胴体と、当該スライダー胴体に取り外し自在に取り付けられた取り外し自在のラッチ部とからなるスライドファスナー用のスライダーであって、取り外し自在のラッチ部とスライダー胴体は、夫々、協働する第１係止手段及び第２係止手段を備えており、当該係止手段は、休止位置にある時に取り外し自在のラッチ部がスライダー胴体から分離するのを防止し、第１係止手段は、取り外し自在のラッチ部がスライダー胴体から分離するのを可能にするために弾性的に移動可能である。
【発明の効果】
【００２２】  このように組み立てられたスライダー胴体とラッチ部を分離するためには、舌状部の端部を例えばポイント（棒材の先端）を使用することによって下方に移動させ、舌状部の当接面を傾斜突起部の当接面から外れるまで移動し、これによって、当接面は互いを越えて通過することができるのである。次に、例えば、舌状部の端部を変位させるために使用したポイントを使用して、ラッチ部をスライダー胴体から押し出すことによって、ラッチ部をスライダー胴体から外すことができるのである．従って、本発明は、引手又は取り外し自在のラッチ部を苦労無く交換することができるように容易にラッチ部をスライダー胴体から取り外すことができるという効果がある。【００２３】  次に、組み立てられたスライダーにおいては、舌状部の当接面と傾斜突起部の当接面は、互いに協働する係止手段として働き、舌状部が休止位置にある時にスライダー胴体とラッチ部が分離するのを防止するのである。従って、ラッチ部は通常の使用時にはスライダー胴体に確実に取り付けられているという効果もあるのである。
【発明を実施するための最良の形態】
【００２４】  図１は、本発明によるスライダー１を示している。スライダー１は、スライダー胴体３と、ラッチ部５とからなっている。ラッチ部５は、スライダー胴体３に取り外し自在に取り付けられている。図２及び図３を参照に以下に説明されているように、スライダー胴体３の上翼部１１から引手取付部７が突出し、スライダー胴体３の前後方向に延びている。引手取付部７は、ラッチ部５を保持する機能とともに、当該技術分野において周知のように、引手９を取り付ける取付点としての機能も行う。ラッチ部５は、二つのスライダーを連結状態に保持する機能を有し、一つのスライドファスナーに設けられた一対のスライダーを接近させた連結状態と、離間させた分離状態とに操作することができる。【００２５】  図２は、スライダー胴体３の斜視図である。スライダー胴体３は、図３において側面図として示されている。スライダー胴体３は、金属製又は例えばポリブチレンテレフタレートのようなプラスチック製である。金属製である場合にはスライダー胴体３は、ダイカストで製造してもよく、プラスチック製である場合には、射出成型してもよい。【００２６】  スライダー胴体３は、上下方向に所定の間隙を空けて平行に配置した上翼部１１と下翼部１３とからなり、上翼部１１と下翼部１３は、スライダー胴体３の前端部１７において、案内柱即ちダイヤモンド部１５によって連結されている。上翼部１１と下翼部１３との間の間隙が噛合エレメント挿通用の通路となる。上翼部１１の左右両側の下側縁部２３から下翼部１３の方向に延びる保持フランジ２１が設けられており、スライダー胴体３の前後方向中程から後端部１９の方向に延びている。上翼部１１の上面２５はスライダー胴体３の前方側から後方側へ向けて順に、前方領域と、中間領域３５と、後方領域３１とに区画される。上翼部１１の上面２５の前方領域すなわち案内柱１５の上の位置から引手取付部７が突出している。引手取付部７は、基部２７が上面２５と一体に連結し、自由端部２７が上翼部１１の上面２５の後方領域３１の方向に向くように円弧状に延びている。引手取付部７の自由端部２７とスライダー胴体３の上翼部１１との間にはギャップ２９があり、以下に説明するように、組み立てられたスライダー１において、ラッチ部５を収容するようになっている。スライダー胴体３の内部に設けられた噛合エレメント挿通用通路は、案内柱１５と保持フランジ２１とによってＹ字形状に画成され、噛合エレメントは、案内柱１５と保持フランジ２１とによって噛合又は分離する方向へ移動するように案内される。【００２７】  引手取付部７の自由端部２７の端面６７は、上翼部１１の上面２５と概ね平行になっている。端面６７には傾斜突起部６９が設けられている。傾斜突起部６９は、スライダー胴体３の側方から見た場合、傾斜面７１を外方に向けた直角三角形の形状を呈している。【００２８】  上翼部１１の上面２５の中間領域３５には、引手取付部７の基部３７の後部から後端部１９側へ向けて峰部３３が突出している。以下に説明するように、当該峰部３３は、ラッチ部５に形成された切込み部に収容され、これによって、ラッチ部５をスライダー胴体３と容易に一直線上に配することができるのである。引手取��部７の基部３７の左右両側面には、スライダー胴体３の前後方向に延びる嵌合凹部が形成されている。基部３７は、基部３７の上端にスライダー胴体３の左右方向へ突出する張出部３８を有した断面Ｔ字形状を呈し、この張出部３８の下面と上翼部１１の上面２５との間に嵌合凹部が形成されている。一方、ラッチ部５の左右脚部４１，４３の対向側面には、脚部４１，４３間の空隙部４５内へ突出するとともに、ラッチ部５の前後方向に延びる嵌合凸部４６が形成されている。嵌合凸部４６は、ラッチ部５をスライダー胴体３に連結したときに嵌合凹部と嵌まり合い、張出部３８と嵌合凸部４６とがスライダー胴体３の上下方向に重なり合う。これにより、ラッチ部５とスライダー胴体３とが連結状態にある時、ラッチ部５がスライダー胴体３の上方へ移動することを防止することができる。【００２９】  図４は、ラッチ部５を示す斜視図であり、図５は、その平面図である。ラッチ部５は、概ねＹ字状であって、例えばアセタールのようなプラスチック製である。ラッチ部５は、ラッチ部５の前方側から後方側へ向けて順に前端部と、中間部８９と、後端部７９とに区画される。ラッチ部５の前端部には左右一対の腕部４１，４３が設けられており、その間に空隙部４５が形成されている。組み立てられたスライダー１において、二つの腕部４１，４３は、空隙部４５に配された引手取付部７の基部３７の左右に跨るように配される。【００３０】  ラッチ部５は、突出部４７とこれと協働する口部５５の形状をしたラッチ手段を備えている。第１と第２のラッチ部材として各々突出部４７が形成され、第１と第２の収容部として各々口部５５が形成されている。突出部４７と口部５５とは少なくとも一方が弾性変形することで係合し、各ラッチ部５が連結状態となる。【００３１】  突出部４７は、第２腕部４３の端面４９から外方へ向けて設けられており、概ね球状の端部形状を呈しており、端面４９から延びている首部５１と端面４９とは反対側にある頭部５３とからなっている。【００３２】  口部５５は、第１腕部４１の端面５７から内方へ向けて形成されており、突出部４７の頭部５３の最も広幅の点の断面よりも小さい断面を持つ峰部６３を形成するために口部５５の開口部６１から狭幅になって行く喉部５９を有している。峰部６３を越えると、口部５５は、広幅になり、空洞部６５を形成する。口部５５の寸法は、一方のスライダーが同様の構造の他方のスライダーとラッチ係合するときに、夫々のスライダー１に設けられた突出部４７が他方のスライダー１に設けられた開口する口部５５に収容されるような寸法になっている。口部５５の喉部５９の最大幅寸法（直径）は、突出部４７の頭部５３の最大幅寸法（直径）よりも小さく設定されており、頭部５３が喉部５９に挿入される際、頭部５３と喉部５９とは当接して互いに押圧し合い、喉部５９は幅を拡大する方向に弾性変形し、頭部５３は幅を縮小する方向に弾性変形する。なお、喉部５９と頭部５３の双方が必ずしも弾性変形する必要はなく、いずれか一方のみが弾性変形するものであればよい。【００３３】  ラッチ部５の後端部７９の方向に突出している舌状部７７を形成するためにラッチ部５の後端部７９には舌状部７７の周囲にラッチ部５���上下方向に貫通したＣ字状の孔７３が設けられている。舌状部７７の上面８５の終端部８３には傾斜台８１が設けられている。傾斜台８１の傾斜面８７は、ラッチ部５の内側に面しており、ラッチ部５の前方側から後方側へ向けて上がり傾斜している。舌状部７７は、下方に弾性的に曲折することができるのである。【００３４】  図６は、組み立てられた状態のスライダーの側面図であり、図５のＶＩ−ＶＩ線に沿って切ったラッチ部５の断面図を示している。ラッチ部５の中間部８９には、その下側８９にスライダー胴体３の峰部３３を収容するための切込部８２が設けられている。峰部３３は、ラッチ部５をスライダー胴体３のギャップ２９に差し込んだ時に、ラッチ部５の下面に形成した切込部８２へ嵌まり込み、ラッチ部５がスライダー胴体３の後方領域３１から中間領域へと向けて真っ直ぐに移動するように移動方向を制限し、ラッチ部５を適切な姿勢に整える。【００３５】  スライダー１を組み立てるためには、引手９を引手取付部７に引っ掛け、スライダー胴体３の峰部３３とラッチ部５の切込部８２とをスライダー胴体３の前後方向同一線上に配し、スライダー胴体３とラッチ部５が連結するように圧縮する。これらの部品３，５がこのように圧縮されるにつれて、舌状部７７の傾斜台８１の傾斜面８７が引手取付部７の傾斜突起部６９の傾斜面７１に接触する。二つの傾斜面７１，８７が互いに対して滑動するにつれて舌状部７７の端部８３は下方に曲折し、舌状部７７が押されて引手取付部７の傾斜突起部６９を乗り越えるまで、下方に曲折する。舌状部７７が引手取付部７の傾斜突起部６９を乗り越えたこの位置で、弾性的に曲折された舌状部７７は休止位置すなわち元の形状に復帰し、ラッチ部５は、スライダー胴体３に取り付けられる。組み立てられたスライダー１において、舌状部７７の終端部８３と、引手取付部７の傾斜突起部６９との対向面すなわち舌状部７７の当接面９１と傾斜突起部６９の当接面９３は、互いに協働する係止手段として働き、舌状部７７が休止位置にある時にスライダー胴体３とラッチ部５が分離するのを防止するのである。ラッチ部５は、スライダー胴体３の後方領域３１側から中間領域３５へ向けて、ラッチ部５の中間部８９を上翼部１１の上面２５と自由端部２７の端面６７との間のギャップ２９へ差し込んで連結される。【００３６】  このように組み立てられたスライダー胴体３とラッチ部５を分離するためには、舌状部７７の端部８３を例えばポイントを使用することによって下方に移動させ、舌状部７７の当接面９１を傾斜突起部６９の当接面９３から外れるまで移動し、これによって、当接面９１，９３は互いを越えて通過することができるのである。次に、例えば、舌状部７７の端部８３を変位させるために使用したポイントを使用して、ラッチ部５を押し出すことによって、ラッチ部５をスライダー胴体３から外すのである。ラッチ部５は、スライダー胴体３の中間領域３５から後方領域３１側へ向けて、ラッチ部５の中間部８９を上翼部１１の上面２５と自由端部２７の端面６７との間のギャップ２９から抜き取って分離される。このとき、舌状部７７の当接面９１と傾斜突起部６９の当接面９３とが対面し合わないように位置させた上でラッチ部���抜き取るので、各当接面９１，９３が引っ掛かり合うことがない。【００３７】  舌状部７７を弾性的に変位させることができるという特性は、ラッチ部５が作られている材質と舌状部７７の寸法によるのである。【００３８】  図７は、二つのラッチ係合した一対のスライダー１の側面図である。両スライダー１に設けられたラッチ部が係合することにより、両スライダー１は前端部１７が向かい合う状態で連結され、両スライダー１が離間して各前端部１７間に間隙が生じないように係止される。【００３９】  図８は、二つの滑動自在に取り付けられた本発明のスライダー１を備えたスライドファスナー９５を示している。二つのスライダー１は、互いから離れる方向で移動するにつれて、噛合状態の噛合エレメントが分離してスライドファスナー９５は開口する。他方、二つのスライダー１が互いに近づく方向に移動するにつれて分離状態の噛合エレメントが噛合してスライドファスナー９５は閉鎖する。スライドファスナー９５を閉鎖して二つのスライダー１を係止するためには、夫々のスライダー１の突出部４７が他のスライダー１の対向する口部５５と係合するようにスライダー１は互いに対して近づく方向に移動される。両スライダー１のラッチ部５が適切位置に押されるにつれて突出部４７の頭部５３そして／又は口部５５は弾性変形する。スライダー１は、引手９を使用することによって、更に好ましくは、二つのスライダー１のラッチ部５を圧縮するために指を使用することによって、二つのスライダー１を連結するように付勢する。指を使用してスライダー１を連結するように圧縮することは、引手９を使用してスライダー１を連結するように付勢するよりもより簡単である。何故なら、二つのラッチ部５は容易に把持して互いの方向に直接圧縮することができるからである。他方、引手９が使用された場合には、夫々の引手９は、他方の引手の障害となるので、その結果、引手は、直角に互い方向に引っ張られる。二つのラッチ部５を圧縮することによって二つのスライダー１をラッチ係合することは、（引手を使用する場合には必要である）当接面９１，９３を介して押圧力をラッチ部５に伝達するという無駄を省くという更なる効果を有しているのである。図９は、ラッチ係合された二つのスライダー１を備えたスライドファスナー９５を示している。【００４０】  二つのスライダー１を分離するために、引手９を互いから離れる方向に引っ張る。引っ張り力は、引手９から引手取付部７を通して引手取付部７の基部３７に当接しているラッチ部５の中心部８９に伝達される。繰り返しになるが、舌状部７７の当接面９１と引手取付部７の傾斜突起部６９の当接面９３とを介して力は伝達されないのである。【００４１】  当該技術分野における当業者はいろいろな変形例を理解することができる。本発明は、特許請求の範囲に属するこのような全ての実施例を含むのである。例えば、一つのラッチ部５が、その腕部４１，４３の夫々の端部に突出部４７を備えた雄タイプのラッチ部であってもよい。このようなラッチ部５は、腕部４１，４３の夫々の端部に口部５５を備えた雌タイプのラッチ部と係合することになる。これに代えて、ラッチ部５は、単一の突出部４７を備え、口部５５を持たなくてもよい。このようなラッチ部５は、単一の口部５５を備え、突出部４７を持たないラッチ部５と係合することになる。更なる実施例においては、引手取付部７の端面６７の突起部６９が下方に突出し、組み立てられたスライダー１における舌状部７７の上面８５よりも下に位置する限り、舌状部７７の上面８５は、平坦であってもよい。即ち、舌状部７７には傾斜台８１が無いことになる。【００４２】  別の実施例において、引手取付部７の自由端部２７の端面６７は、平坦であってもよい。即ち、端面６７には突起部６９が存在しない。舌状部７７の傾斜台８１は、引手取付部７の端面６７の上に位置し、これによって、組み立てられたスライダーにおいて、舌状部７７の当接面９１は引手取付部７の内側面と当接することになる。更に別の実施例において、スライダー１を第２のスライダー１にラッチ係合させるためにスライダー１にはいかなるラッチ機構４７，５５が無くてもよいのである。むしろ、ラッチ部５は、引手９を苦労なしに取り替えることができる取り外し可能な構成でありさえすればよい。【００４３】  上に記載された具体的な実施例においては、当接面９１，９３は、引手取付部の自由端部２７の端面６７に対して垂直である。別の実施例においては、当接面９１，９３が互いに接触滑動したときに近づくように、当接面９１，９３は、傾斜していてもよいのである。
【図面の簡単な説明】
【００４４】
【図１】図１は、本発明によるスライダーの斜視図である。
【図２】図２は、図１のスライダーのスライダー胴体の斜視図である。
【図３】図３は、図２のスライダー胴体の側面図である。
【図４】図４は、図１のスライダーのラッチ部の斜視図である。
【図５】図５は、図４のラッチ部の平面図である。
【図６】図６は、図１のスライダーの側面図であって、ラッチ部の断面を示している。
【図７】図７は、二つのラッチ係合された図１のスライダーの側面図である。
【図８】図８は、本発明による二つのスライダーを備えた一部開口したスライドファスナーの平面図である。
【図９】図９は、二つのスライダーがラッチ係合した状態における図８のスライドファスナーである。
【符号の説明】
【００４５】１                  スライダー
３                  スライダー胴体
５                  ラッチ部
７                  引手取付部
９                  引手
１１                上翼部
１３                下翼部
１５                案内柱
２５                上面
２７                自由端部
３３                峰部
３５                中間領域
４１、４３          腕部
４７                突出部
５１                首部
５３                頭部
５５                口部
６１                開口部
６３                峰部
６５                空洞部
６９                傾斜突起部
７１                傾斜面
７３                Ｃ字状孔
７７                舌状部
８１                傾斜台
９１                当接面
９３                当接面
９５                スライドファスナー
【図１】
2007044535.tif 000003
【図２】
2007044535.tif 000004
【図３】
2007044535.tif 000005
【図４】
2007044535.tif 000006
【図５】
2007044535.tif 000007
【図６】
2007044535.tif 000008
【図７】
2007044535.tif 000009
【図８】
2007044535.tif 000010
【図９】
2007044535.tif 000011